(57)【要約】      （修正有）【課題】台部に載置された絵本のページを捲ることによって、ページが識別され識別されたページに応じた音声を出力することができる絵本玩具を提供する。【解決手段】複数のページで構成される絵本３０と、前記絵本３０を載置可能な台部１０を有する絵本玩具において、光を遮光する遮光領域と光を透過する開口領域の組合せで構成される検出領域が前記各ページに形成され、前記台部１０には、前記検出領域の検出を行うセンサが直線上に複数配列された検出手段１６と、前記検出手段１６で検出された前記遮光領域と前記開口領域の組合せに応じてページの識別を行うページ識別手段と、各ページに対応した音声情報を記憶した記憶部と、音声出力を行う音声出力手段１２と、前記ページ識別手段で識別されたページに応じた音声情報を記憶部から取出し音声出力手段１２へと出力を行う制御部を構成した。【選択図】図１
0003113119.tif 000002
【実用新案登録請求の範囲】
【請求項１】
複数のページで構成される絵本と、前記絵本を載置可能な台部を有する絵本玩具において、光を遮光する遮光領域と光を透過する開口領域の組合せで構成される検出領域が前記各ページに形成され、前記台部には、前記検出領域の検出を行うセンサが直線上に複数配列された検出手段と、前記検出手段で検出された前記遮光領域と前記開口領域の組合せに応じてページの識別を行うページ識別手段と、各ページに対応した音声情報を記憶した記憶部と、音声出力を行う音声出力手段と、前記ページ識別手段で識別されたページに応じた音声情報を記憶部から取出し音声出力手段へと出力を行う制御部を備えたことを特徴とした絵本玩具。
【請求項２】
請求項１において、前記記憶部に記憶された音声情報は、着脱可能な記憶媒体に記憶されていることを特徴とした絵本玩具。
【請求項３】
請求項１又は２において、前記台部の端辺には、前記絵本を着脱自在にするリング状の取付け金具を備えたことを特徴とした絵本玩具。
【請求項４】
請求項１乃至３のいずれか１項において、前記台部には、前記ページ識別手段で識別されたページに応じた表示を行う表示手段を更に備えたことを特徴とした絵本玩具。
【請求項５】
請求項１乃至４のいずれか１項において、前記遮光領域の少なくとも１つにページ番号を表示したことを特徴とした絵本玩具。
【請求項６】
請求項１乃至５のいずれか１項において、前記検出領域は、ページの端辺に形成されていることを特徴とした絵本玩具。
【考案の詳細な説明】
【技術分野】
【０００１】
本考案は、絵本を載置可能な台部を有する絵本玩具に関するものである。
【背景技術】
【０００２】
従来、特開平５−７６７０号公報「バーコード付き本」にあるように、写真集や絵本などに印刷されている絵にバーコードを付しバーコードリーダーでなぞり映像や音を発生させることのできる電子回路内蔵の絵本であった。
【０００３】
しかし、従来の電子回路内蔵の絵本の場合においては、使用者が、音を発生させる際にバーコードをなぞる必要があり、煩雑であった。またバーコード自体の汚れやなどにより、バーコードを識別できない場合においては、別のページに対応した音声情報が出力されたり、音が出力されないなどの問題があった。そこで、幼児者でも容易に音声出力を行うことが可能な台部が求められていた。
【特許文献１】特開平５−７６７０号
【考案の開示】
【考案が解決しようとする課題】
【０００４】
そこで、本考案は、上記従来技術の問題点に斯かる実情に鑑みなされたもので、台部に載置された絵本のページを捲ることによって、ページが識別され識別されたページに応じた音声を出力することができる絵本玩具を提供することを課題とする。
【課題を解決するための手段】
【０００５】
請求項１に記載の考案は、複数のページで構成される絵本と、前記絵本を載置可能な台部を有する絵本玩具において、光を遮光する遮光領域と光を透過する開口領域の組合せで構成される検出領域が前記各ページに形成され、前記台部には、前記検出領域の検出を行うセンサが直線上に複数配列された検出手段と、前記検出手段で検出された前記遮光領域と前記開口領域の組合せに応じてページの識別を行うページ識別手段と、各ページに対応した音声情報を記憶した記憶部と、音声出力を行う音声出力手段と、前記ページ識別手段で識別されたページに応じた音声情報を記憶部から取出し音声出力手段へと出力を行う制御部を備えたことを特徴とする。
【０００６】
請求項２に記載の考案は、請求項１において、前記記憶部に記憶された音声情報は、着脱可能な記憶媒体に記憶されていることを特徴とする。
【０００７】
請求項３に記載の考案は、請求項１又は２において、前記台部の端辺には、前記絵本を着脱自在にするリング状の取付け金具を備えたことを特徴とする。
【０００８】
請求項４に記載の考案は、請求項１乃至３のいずれか１項において、前記台部には、前記ページ識別手段で識別されたページに応じた表示を行う表示手段を更に備えたことを特徴とする。
【０００９】
請求項５に記載の考案は、請求項１乃至４のいずれか１項において、前記遮光領域の少なくとも１つにページ番号を表示したことを特徴とする。
【００１０】
請求項６に記載の考案は、請求項１乃至５のいずれか１項において、前記検出領域は、ページの端辺に形成されていることを特徴とする。
【考案の効果】
【００１１】
請求項１の考案によれば、複数のページで構成される絵本と、該絵本を載置可能な台部を有する絵本玩具において、光を遮光する遮光領域と光を透過する開口領域の組合せで構成される検出領域が各ページに形成され、また台部には、前記検出領域の検出を行うセンサが直線上に複数配列された検出手段と、前記検出手段で検出された前記遮光領域と前記開口領域の組合せに応じてページの識別を行うページ識別手段と、各ページに対応した音声情報を記憶した記憶部と、音声出力を行う音声出力手段と、前記ページ識別手段で識別されたページに応じた音声情報を記憶部から取出し音声出力手段へと出力を行う制御部を備えることによって、台部に載置された絵本のページを捲ることによって、ページが識別され識別されたページに応じた音声を出力することができる台部を提供することができる。
【００１２】
請求項２の考案によれば、記憶部に記憶された音声情報は、着脱可能な記憶媒体に記憶されていることによって、該記憶媒体の交換を行うことにより、ページに応じた音声を変更することができる。
【００１３】
請求項３の考案によれば、絵本は、台部の端辺に固着されたリング状の取付け金具に着脱自在に載置されていることによって、台部に載置される絵本を交換することが可能である。
【００１４】
請求項４の考案によれば、ページ識別手段で識別されたページに応じた表示を行う表示手段を更に備えることによって、ページ識別されたページ番号を視覚により認識することができる。
【００１５】
請求項５の考案によれば、絵本のページに形成された遮光領域にページ番号を表記することによって、ページを捲った際にページ番号を認識することができる。
【００１６】
請求項６の考案によれば、検出領域は、ページの端辺に形成されていることによって、該検出領域の遮光領域がインデックスとしての作用を有し、容易に目的のページに捲ることができる。
【考案を実施するための最良の形態】
【００１７】
複数のページで構成される絵本と、前記絵本を載置可能な台部において、光を遮光する遮光領域と光を透過する開口領域の組合せで構成される検出領域が前記各ページの端辺に形成され、前記台部には、前記検出領域の検出を行うセンサが直線上に複数配列された検出手段と、前記検出手段で検出された前記遮光領域と前記開口領域の組合せに応じてページの識別を行うページ識別手段と、各ページに対応した音声情報を記憶した記憶部と、音声出力を行う音声出力手段と、前記ページ識別手段で識別されたページに応じた音声情報を記憶部から取出し音声出力手段へと出力を行う制御部と、前記絵本を着脱自在にするリング状の取付け金具と、前記ページ識別手段で識別されたページに応じた表示を行う表示手段とを備えた。
【００１８】
また、前記記憶部に記憶された音声情報は、着脱可能な記憶媒体に記憶されると共に、前記遮光領域の少なくとも１つにページ番号が表示される。
【実施例】
【００１９】
以下、図面を参照して本考案に係る台部の一実施例を詳細に説明する。図１と図２を用いて本考案の一実施例である絵本玩具を説明する。図１は、台部の上面に絵本が係止された状態を示す図である。また、図２は、台部から絵本を取り外しした状態を示す図である。
【００２０】
台部１０は、平板状に形成され、台部１０の上面に、止め金具１８、検出手段１６としてのセンサと、表示手段１４としての発光ダイオードと、音声出力手段１２としてのスピーカーを設けられている。また台部１０の内部には、図示しないがＲＯＭやＲＡＭと合わせてマイクロコンピュータが組み込まれた制御部と、着脱自在に設けられた記憶媒体が装着され該制御部と電気的に接続されている。
【００２１】
止め金具１８は、絵本３０を係止する為の金具であり、台部１０の上面左辺に設けられている。実施例では、直線状に配列された複数のリング状の止め金具１８で形成されており、該リングの一部を開放することにより、絵本３０を構成する複数のページ３２の端辺に形成された係止孔３４に貫通して係止することにより絵本３０が台部１０に載置されるようになっており、台部１０から絵本３０が着脱自在となっている。また実施例の止め金具１８として、リング状の止め金具１８の例を示したが、クリップを使用して絵本３０を構成するページ３２を挟んで係止することも可能であり、この際には、ページ３２の端辺に係止孔３４は不要となる。
【００２２】
この止め金具１８の位置は、右開きの絵本３０の場合においては、台部１０の上面右辺に設けることも可能であり、その絵本３０のページ３２の開き方に応じて、様々な位置に設けることが可能である。
【００２３】
検出手段１６としてのセンサは、光が遮光されることによって対象物を検出する光センサを用いており、台部１０に複数のセンサが配設されている。実施例では、光を遮光することによって検出するセンサを７つ使用しているが、この他に近接センサや、赤外光を照射しその反射光を検出するセンサであっても構わないし、少なくとも２以上の数のセンサであれば、いくつ用いても構わない。検出手段１６とした各センサに応じた位置には、絵本３０の各ページ３２に形成された光を遮光する遮光領域３８と光を透過する開口領域４０の組合せで構成される検出領域３６が配置され、該センサの上方に光を遮光する遮光領域３８があった場合の検出結果を、「オン（×）」とし、また遮光領域３８が無く、開口領域４０であった場合には、検出結果を「オフ（○）」としている。
【００２４】
例えば、遮光領域３８と開口領域４０の７つの組合せからなる検出領域３６の場合で、最初のページの検出領域３６の組合せが「遮光領域・開口領域・遮光領域・開口領域・遮光領域・開口領域・遮光領域」と、次のページの組合せが「開口領域・遮光領域・開口領域・遮光領域・開口領域・遮光領域・開口領域」時の検出手段１６の検出結果は、各センサの上方に１以上の遮光領域３８が形成されている為、「×××××××」と検出される。この検出結果は、制御部を介してページ識別手段へと送信される。
【００２５】
ページ識別手段は、検出手段１６で検出された情報に応じてページ番号の識別を行う手段であり、例えば、検出手段１６で識別された検出結果が、「×××××××」で有る場合、図４に示すページ識別表に基づき、「１ページ目」と識別されるようになっている。また、同様に検出結果が、「○○○○○○×」である場合、「１３ページ目」と識別される。また、この識別される例は、１ページ目の裏面が、２ページ目とした場合の例である。
【００２６】
次に、表示手段１４としての発光ダイオードは、検出手段１６としての各センサの近傍に設けられている。該センサの数と同数の発光ダイオードが設けられ、該検出手段１６で検出した結果に応じて発光ダイオードが点灯及び消灯する。実施例では、センサの上方に、遮光領域３８が無く開口領域４０である「オフ（○）」と検出された場合において、発光ダイオードが点灯するようになっている。これにより、検出手段１６で検出された検出結果を使用者は、視認することが可能である。また、実施例では、表示手段１４は、検出手段１６の検出結果に応じて点灯を行うものだが、ページ識別手段で識別された結果に応じて、表示手段１４を点灯、点滅、消灯するようにしても構わない。また、表示手段１４は、発光ダイオードに限定されるものではなく、液晶による表示など様々な表示を行うことも可能である。例えば、ページ識別手段で識別されたページ３２に応じて、液晶画面に映像などを表示するようにしても構わない。
【００２７】
音声出力手段１２としてのスピーカーは、制御部からの音声出力情報に応じて出力を行うようになっている。
【００２８】
次に記憶部としての記憶媒体は、台部１０と着脱自在に形成されている。記憶媒体は、書換え不能のＲＯＭや、ＣＤ−ＲＯＭなどの記憶媒体である。実施例では、書換え不能のＲＯＭであり、絵本３０の各ページ３２に対応した音声情報が記憶されている。実施例の記憶部は、着脱自在の記憶媒体としているが、予め台部１０の内部に記憶部を有しても構わない。また、該記憶部に複数の絵本３０に対応した音声情報を予め記憶し、図示しないが絵本切替スイッチを操作し、絵本３０に応じた音声情報を選択することも可能である。
【００２９】
各ページ３２に対応した音声情報の例として、１ページ目に対応した音声情報として、「昔、昔あるところに…」２ページ目として「お爺さんとおばあさんが…」などと記憶されている。また、図５に示すように各ページ３２の裏面も絵柄が表示されている場合には、１ページ目に対応した音声情報、２ページ（１ページ裏面）〜３ページの音声情報が記憶されている。
【００３０】
次に、図１と図３を用いて、複数のページ３２から構成される絵本３０の説明を行う。複数のページ３２からなる絵本３０には、台部１０に係止する為の複数の係止孔３４が絵本３０の端辺に形成されている。また、実施例では、図面上方の位置の辺に光を遮光する遮光領域３８と光を透過する開口領域４０の組合せで構成される検出領域３６が形成されている。遮光領域３８は、センサを覆うようにページ３２の端辺から突出した凸形状に形成されている。また開口領域４０となる領域は方形状に開口されており、光を透過するように形成されている。また、遮光領域３８をページ３２の内に形成する場合においては、凸部は必要としない。
【００３１】
実施例の絵本３０は、端辺に係止孔３４が形成され、台部１０と係止することにより、見開くことが可能となっている。また、各ページ３２を予め綴じておくようにしても構わない。また各ページ３２の表面・裏面には絵柄や文字などが表示されている。
【００３２】
図３に示すように該検出領域３６は、各ページ３２の上方に位置しページ３２の端辺に形成され、該遮光領域３８の一部に、ページ番号４２を表示することによって、遮光領域３８が絵本３０の見出しとしての機能をし、使用者は、容易に開きたいページ３２を開くことが可能となっている。例えば、図３（Ａ）のように検出領域３６の全てが遮光領域３８のみの場合には、ページ番号４２が「１」と表示され、図３（Ｂ）のように、最左のみが開口領域４０の場合には、ページ番号４２は「３」と表示される。図３（Ｈ）は、全てのページ３２が重なった状態を示すように該遮光領域３８のページ番号４２を表示することによって、ページ３２を見開いた際に、ページ番号４２が必ず表面に現れるようになっている。
【００３３】
また実施例の検出領域３６は、図面上方の辺に対して平行に形成されているが、様々な向きや位置に検出領域３６が形成されていても構わない。
【００３４】
図５を用いて絵本玩具の使用方法を説明する。台部１０に絵本３０を係止させ、該絵本３０に対応した記憶媒体を装着する。図示しないが電源を投入し、絵本３０のページ３２を見開くと、見開いたページ３２に対応した音声情報がスピーカーより出力される。これにより、絵本３０のページ３２を捲る動作を行うだけで、捲られたページ３２に対応した音声情報が容易に出力され、幼児や年少者であっても使用することが可能である。
【００３５】
以上説明したように構成することにより、台部に載置された絵本のページを捲ることによって、ページが識別され識別されたページに応じた音声を出力することができる絵本玩具を提供することができる。また、好ましい実施例を挙げて本考案を説明したが、本考案はその実施例に限定されるものではなく、本考案の要旨の範囲内で種々に改変できる。
【図面の簡単な説明】
【００３６】
【図１】本考案の一実施例である絵本玩具の外観を示す図である。
【図２】本考案の一実施例である台部から絵本を外した状態を示す図である。
【図３】本考案の一実施例である絵本の検出領域を示す図である。
【図４】本考案の一実施例であるページ識別手段の検出結果を示す図である。
【図５】本考案の一実施例である絵本玩具の使用状態を示す図である。
【符号の説明】
【００３７】
１０    台部
１２    音声出力手段
１４    表示手段
１６    検出手段
１８    止め金具
３０    絵本
３２    ページ
３４    係止孔
３６    検出領域
３８    遮光領域
４０    開口領域
４２    ページ番号
【図１】
0003113119.tif 000003
【図２】
0003113119.tif 000004
【図３】
0003113119.tif 000005
【図４】
0003113119.tif 000006
【図５】
0003113119.tif 000007